(57)【要約】【課題】  足裏などの人間の部位に対して適度な指圧性があり、外観構造も掃除しやすく、設置場所との調和性に優れた温熱健康器具を提供する。【解決手段】  断面が凸面の樋状部材１１を複数、凸面を上にして互いに平行に配列し、この平行に配列された複数の樋状部材間を互いに連結して、全体として波板状であり、上方が凸であるように湾曲した凸面部１の上に足裏などの部位を載せると、足裏のつぼなどを刺激して指圧効果を与えることができるとともに、凸面部１の内部に設けたヒータで凸面部１を温めることにより、足裏に温熱効果を与えることができる。【選択図】        図１
0003155399.tif 000002
【実用新案登録請求の範囲】
【請求項１】
波板状でかつ全体を上方に凸であるように湾曲した凸面部と、
この凸面部内側に配設され、当該凸面部を温めるヒータと
を有することを特徴とする温熱健康器具。
【請求項２】
前記凸面部を両側から全体的に保持して固定する台座部を有することを特徴とする請求項１記載の温熱健康器具。
【請求項３】
前記凸面部は、複数の部分に区分化され、この区分化された各部を壁部で仕切り、この仕切られた部分の各々の内部に前記ヒータを配設することを特徴とする請求項１または請求項２記載の温熱健康器具。
【請求項４】
前記ヒータは、シリコンゴムコードヒータであることを特徴とする請求項１乃至３のいずれかに記載の温熱健康器具。
【考案の詳細な説明】
【技術分野】
【０００１】
本考案は、人間の部位である例えば足裏に存在するつぼなどを刺激しながら足裏に温熱を加えることにより健康を増進するとともに足もとから体を温めることができる温熱健康器具に関する。
【背景技術】
【０００２】
人間の足裏には、多くのつぼが集中しているが、このつぼを刺激することにより指圧効果を得て、健康増進、美容、疲労回復などを図ることができる。また、頭寒足熱というように頭部を冷やし、足部を温めることにより健康にもよいと言われている。
【０００３】
従来、足裏のつぼを刺激したり、温めることにより健康増進を行う従来の器具として、例えば特許文献１に記載の遠赤外線式足踏み器、特許文献２に記載の足踏健康器具、特許文献３に記載の足踏み健康具など多数の器具が提案されている。
【先行技術文献】
【特許文献】
【０００４】
【特許文献１】実用新案出願公開昭６１―１９１０５５号公報
【特許文献２】実用新案出願公開昭６１―１３３０３８号公報
【特許文献３】特開２０００―１４００６４号公報
【考案の概要】
【考案が解決しようとする課題】
【０００５】
上述したように、足裏のつぼを刺激したり、温めることにより健康増進を行う器具は、従来多々提案されているが、例えば特許文献１に記載の遠赤外線式足踏み器は、被足踏み体が単に青竹を二つ割りにした構造であり、足裏に対する刺激が単調である。また、特許文献２に記載の足踏健康器具は、足裏を乗せる上表面の全体が網材で覆われているため、この網材の部分にごみやほこりが付着して非衛生的であるとともに、足裏に対する刺激が物足りないことがあると考えられる。更に、特許文献３に記載の足踏み健康具は、足裏を乗せる部分が多数の単線から構成された単線束で構成されているため、この部分にごみやほこりが付着して非衛生的であるとともに、足裏に対する刺激が強すぎることがある。
【０００６】
このように、従来の器具は、足裏に対する適度な指圧性、衛生的で掃除しやすい外観構造、設置場所との調和性などにおいていま一つ物足りず、更にこれらを満たすものが必要と考える。
【０００７】
本考案は、上記技術的課題に鑑みてなされたもので、その目的とするところは、足裏などの人間の部位に対して適度な指圧性があり、外観構造も掃除しやすく、設置場所との調和性に優れた温熱健康器具を提供することにある。
【課題を解決するための手段】
【０００８】
上記課題を達成するため、請求項１記載の温熱健康器具は、波板状でかつ全体を上方に凸であるように湾曲した凸面部と、この凸面部内側に配設され、当該凸面部を温めるヒータとを有することを要旨とする。
【０００９】
請求項１記載の温熱健康器具にあっては、全体を上方に凸であるように湾曲した波板状の凸面部を有し、この凸面部内側に配設されたヒータで凸面部を温めるため、この凸面部の上に人間の足裏などの部位を載せることにより当該部位に存在するつぼなどを刺激して指圧効果を与えることができるとともにヒータからの熱が凸面部を介して足裏などの部位に伝わり、足裏に対して温熱効果を加えることができ、利用者の健康を増進でき、足もとから体を温めることができることに加えて、足裏などの部位を載せる凸面部が湾曲した波板状に形成されているため、掃除しやすく、凸面部が汚れたり、ごみが付着しても、簡単に除去し、きれいにすることが容易であり、衛生的である。
【００１０】
請求項２記載の温熱健康器具は、前記凸面部を両側から全体的に保持して固定する台座部を有することを要旨とする。
【００１１】
請求項２記載の温熱健康器具にあっては、凸面部は台座部により両側から全体的に保持されているため、人間の足裏などの部位が載る凸面部の強度を増大することができる。
【００１２】
請求項３記載の温熱健康器具は、前記凸面部が、複数の部分に区分化され、この区分化された各部を壁部で仕切り、この仕切られた部分の各々の内部に前記ヒータを配設することを要旨とする。
【００１３】
請求項３記載の温熱健康器具にあっては、凸面部を壁部で複数の部分に仕切り、この仕切られた各部分の内部にヒータを配設するため、ヒータは壁部で仕切られ、ヒータ同士の短絡や漏電などの事故を防止できるとともに、足裏などの部位を載せる凸面部の強度を増大することができる。
【００１４】
請求項４記載の温熱健康器具は、前記ヒータがシリコンゴムコードヒータであることを要旨とする。
【００１５】
請求項４記載の温熱健康器具にあっては、ヒータがシリコンゴムコードヒータであるため、このシリコンゴムコードヒータの柔軟性、折り曲げ易さ、電気絶縁性、耐熱性、任意の形状、対象物への簡単取付可能性などのために凸面部の壁部で仕切られた部分への収納、取付も容易に可能であり、安全性を確保することができる。
【考案の効果】
【００１６】
本考案によれば、上方に凸状に湾曲した波板状の凸面部を有し、この凸面部内側に配設されたヒータで凸面部を温めるので、この凸面部の上に人間の足裏などの部位を載せることにより当該部位に存在するつぼなどを刺激して指圧効果を与えることができるとともにヒータからの熱が凸面部を介して足裏などの部位に伝わり、足裏に対して温熱効果を加えることができ、利用者の健康を増進するとともに足もとから体を温めることができる。
【００１７】
また、本発明によれば、凸面部は台座部により両側から全体的に保持されているので、人間の足裏などの部位が載る凸面部の強度を増大することができる。
【００１８】
更に、本発明によれば、凸面部を壁部で複数の部分に仕切り、この仕切られた各部分の内部にヒータを配設するので、ヒータは壁部で仕切られ、ヒータ同士の短絡や漏電などの事故を防止できるとともに、足裏などの部位を載せる凸面部の強度を増大することができる。
【００１９】
本発明によれば、ヒータがシリコンゴムコードヒータであるため、このシリコンゴムコードヒータの柔軟性、折り曲げ易さ、電気絶縁性、耐熱性、任意の形状、対象物への簡単取付可能性などのために凸面部の壁部で仕切られた部分への収納、取付も容易に可能であり、安全性を確保することができる。
【図面の簡単な説明】
【００２０】
【図１】本考案の一実施形態に係わる温熱健康器具の全体の外観構造を示す斜視図である。
【図２】図１に示す温熱健康器具に使用されている凸面部の横断面の構造を示す断面図である。
【図３】図１および図２に示した凸面部を複数の樋状部材の両側から全体的に保持して固定する台座部の構造を示す裏側から見た斜視図である。
【図４】図１乃至図３に示した温熱健康器具の回路図である。
【図５】図１乃至図４に示した温熱健康器具の使用状態の一例を示す斜視図である。
【考案を実施するための形態】
【００２１】
以下、図面を用いて、本考案を実施するための形態を説明する。
【００２２】
図１は、本考案の一実施形態に係わる温熱健康器具の全体の外観構造を示す斜視図である。同図に示す温熱健康器具は、例えば図５に示すように足裏などの人間の部位をその上部に載せて使用されるものであり、このように載せられた足裏に存在するつぼに刺激を加えながら足裏に温熱を加えることにより健康を増進するとともに足もとから体を温めることができるものである。
【００２３】
図１に示す温熱健康器具は、その中央部において横方向に細長い樋状部材を複数平行に配列して全体を半円形、正確には部分円弧状の凸面状に構成した、すなわち波板状でかつ全体を凸に湾曲して構成した凸面部１と、この凸面部１を複数の樋状部材の両側から全体的に保持して固定する２つの台座部３とを有する。また、この温熱健康器具は商用電源で使用し得るように一方の台座部３からは、電源コード５が引き出され、この電源コード５は、電源スィッチ７を介して電源プラグ９に接続され、この電源プラグ９が商用電源のコンセントに接続されるようになっている。更に、他方の台座部３、すなわち図１において左側の台座部３のほぼ中央の下方には、発光ダイオード（ＬＥＤ）９１が取り付けられ、本温熱健康器具に電源が投入された場合、この発光ダイオード９１が点灯するようになっている。
【００２４】
凸面部１は、更に詳しくは、断面がほぼ半円弧状の凸面である複数の細長い樋状部材１１から構成され、この複数の樋状部材１１を凸面を上にして互いに平行に配列し、この平行に配列された複数の樋状部材１１の間を互いに連結して、全体として部分円弧状の凸面状に一体的に形成することにより凸面部１が構成されている。
【００２５】
また、台座部３は、凸面部１の複数の樋状部材１１の端部をそれぞれ受け入れて固定的に保持する複数の受入れ部３１を有し、この複数の受入れ部３１は、互いに一体的に連結され、全体として凸面部１を部分円弧状の凸面状に固定するように構成されている。
【００２６】
図２は、図１に示す温熱健康器具に使用されている凸面部１の横断面、すなわち樋状部材１１の長手方向に直交する横断面の構造を示す断面図である。同図に示すように、凸面部１は、樋状部材１１を７個有し、これら７個の樋状部材１１は、その裾部分において互いになだらかに連結されて一体化され、波板状に形成されている。このように互いに連結された７個の樋状部材１１の裏側、すなわち図で下側には、所定の空間をあけて底板１３が配設され、この底板１３の中央部は、下方に突出して中央足部１５を構成している。
【００２７】
また、７個のうちの両側の樋状部材１１は、それぞれの外側が内側へ回り込みながら下方に入り込んでから、底板１３と連結され、この連結前の最下部になった部分が側足部１７となっている。そして、この２個の側足部１７と中央足部１５は、本実施形態の温熱健康器具を床などに置いた場合には、温熱健康器具自身を支持する足となり、これらの中央足部１５、側足部１７の下面は、床などを示す一点鎖線１００の上で一直線になっている。
【００２８】
更に、上述したように互いに連結された７個の樋状部材１１と底板１３との間に形成された空間は、複数、本実施形態では４つの壁部１９で仕切られて、５個の空所２１が形成され、この空所２１の各々にヒータ２３が配設されている。なお、ヒータ２３は、図２では５本の別々のヒータであるように図示されているが、実際には後述する図４の回路図から分かるように１本の連続したヒータ２３を折り曲げて使用しているものであり、このヒータ２３は、例えばシリコンゴムコードヒータで構成される。このシリコンゴムコードヒータは、電気絶縁性、耐熱性、耐寒性に優れ、安全性が高く、しかも柔軟性に富んでいて、屈曲、折り曲げが自由で、複雑な形や局面部に簡単に取り付けられ、更に金属、ガラス、プラスチック、木材など、どんな対象物にも取り付けることができるものであるため、上述したように折り曲げられ、樋状部材１１と底板１３との間の空所２１内にも問題なく取り付けることができる。
【００２９】
また、壁部１９で仕切られた５個の空所２１の中にヒータ２３が折り曲げられて収納されるが、このように折り曲げられたヒータ２３がそれぞれの空所２１内に収納され壁部１９で仕切られることにより、折り曲げられたヒータ２３同士が途中で接触することを避けるために有効であるとともに、温熱健康器具の凸面部１の強度を増大するために有効であり、４つの壁部１９を設けることにより、例えば１００ｋｇの静荷重にも十分に耐え得るものである。
【００３０】
図３は、図１及び図２に示した凸面部１を複数の樋状部材１１の両側から全体的に保持して固定する台座部３の構造を示す裏側から見た斜視図である。台座部３は、上述したように凸面部１の７個の樋状部材１１の端部をそれぞれ受け入れて固定的に保持するように互いに連結された７個の受入れ部３１を有することに加えて、図２で説明した凸面部１の中央足部１５を受け入れて保持する中央足保持部３５、凸面部１の両側の側足部１７を受け入れて保持する側足保持部３７、および凸面部１の底板１３に対応する底板部３３を有する。
【００３１】
更に、台座部３は、両側の側足保持部３７にリベット用穴４１が形成されているが、このリベット用穴４１の位置に対応する凸面部１の位置にも、すなわち凸面部１を台座部３で受け入れて保持した場合におけるリベット用穴４１に対応する凸面部１の位置、正確には凸面部１の両側の樋状部材１１の側足部１７の位置にも図示しないが同様なリベット用穴が形成されており、これらのリベット用穴を利用して、リベットで台座部３を凸面部１の両側に固定するようになっている。このようにリベットを利用して、両者を固定することにより、製造が簡単化されるとともに、利用者により温熱健康器具が簡単に分解されて予期せぬ事故が発生することを防止することができる。なお、凸面部１の樋状部材１１の端部を受け入れない台座部３の他方の側は、図１からも分かるように閉じられ、樋状部材１１の端部が突き出ないようになっている。
【００３２】
上述した本実施形態の構成において、凸面部１は、アルミニウムを引き抜き成形して一体的に形成され、台座部３は、ABS樹脂を成形して一体的に形成され、これにより量産性、経済性、耐久性、壊れ難さを向上している。
【００３３】
図４は、上述した図１〜３に示した温熱健康器具の回路図である。図４において、電源スィッチ７を介して電源プラグ９に接続された電源コード５は、一方の台座部３の中に引き込まれて、２本の別々の電源線に分離され、一方の電源線は、電源端子５１ａに接続され、他方の電源線は、電源端子５１ｂに接続されている。電源端子５１ａに接続された一方の電源線は、電流ヒューズ５３を介してヒータ２３の一端に接続されるとともに、他方の台座部３の中に設けられた抵抗器５５の一端に接続されている。なお、ヒータ２３は、上述したように、凸面部１の樋状部材１１に沿うように５段に折り曲げられて空所２１内に収納されているが、図４の回路図でも同様に折り曲げた状態で図示しているが、説明においては、簡単化のため、１本のヒータ２３として説明する。
【００３４】
また、電源端子５１ｂに接続された他方の電源線は、直列接続された温度ヒューズ５７とサーモスタット５９を介してヒータ２３の他端に接続されるとともに、他方の台座部３の中に設けられたダイオード６１の一端であるアノードに接続されている。そして、このダイオード６１の他端のカソードと抵抗器５５の他端との間に前記発光ダイオード９１が接続されている。
【００３５】
なお、直列接続された温度ヒューズ５７とサーモスタット５９は、ヒータ２３に近接して配設され、ヒータ２３から発生する温度を検知し、その温度が第一の温度を超えると、サーモスタット５９が作動して、ヒータ２３からの温度を第一の温度以下の最適な温度に抑えるように温度制御し、この温度制御にも関わらずヒータ２３からの温度が第一の温度を超えて、第二の温度以上になると、温度ヒューズ５７が作動して溶断し、ヒータ２３への電圧の印加を遮断するようになっている。なお、第一の温度とは、図５で簡単に説明したように、本温熱健康器具の凸面部１の上に載せている足裏が快適と感じて温熱効果を得ることができる最適な温度であり、第二の温度とは、凸面部１の上に載せている足裏が熱すぎると感じ、このまま温度が上昇すると、足裏がやけどしてしまう恐れのある温度である。
【００３６】
このように回路図が構成される温熱健康器具において、電源プラグ９が商用電源のコンセントに接続されてから、電源スィッチ７がオンされると、商用電源からの商用電圧が電源プラグ９、電源スィッチ７、電源コード５を介して一方の台座部３内の電源端子５１ａ、５１ｂ間に印加される。この電源端子５１ａ、５１ｂ間に印加された商用電圧は、この電源端子５１ａ、５１ｂ間に直列接続されている電流ヒューズ５３、抵抗器５５、発光ダイオード９１、ダイオード６１、サーモスタット５９、温度ヒューズ５７の間に印加され、これにより発光ダイオード９１が点灯して、電源がオンになったことを表示するとともに、また同様に電源端子５１ａ、５１ｂ間に直列接続されている電流ヒューズ５３、ヒータ２３、サーモスタット５９、温度ヒューズ５７の間に印加され、これによりヒータ２３を加熱する。
【００３７】
以上のように構成される本実施形態の温熱健康器具は、例えば図５に示すように利用者が足裏などを凸面部１の上に載せて使用されるものであり、このように載せられた足裏に存在するつぼを凸面部１の複数の樋状部材１１の凸面で刺激しながら足裏にヒータ２３による温熱を加えることにより健康を増進するとともに足もとから体を温めることができるものである。
【００３８】
本温熱健康器具を使用するには、利用者は、まず本温熱健康器具の電源プラグ９を商用電源のコンセントに差し込んでから、電源スィッチ７をオンにすると、商用電源の電圧が本温熱健康器具に印加され、これにより上述したように発光ダイオード９１が点灯するとともにヒータ２３が温まり始まるので、自分の足裏を図５に示すように本温熱健康器具の真ん中の凸面部１の上に載せる。この凸面部１は、複数の樋状部材１１の凸面を有しているので、この凸面上に置かれた足裏のつぼは凸面で適当な刺激を受けるとともに、凸面部１は、その内部に設けられているヒータ２３により温められているので、足裏は快適な温熱効果も得ることができ、足裏のつぼの刺激と温熱効果により利用者は健康を増進できるとともに足もとから体を温めることができ、快適な生活をおくることができる。
【００３９】
本実施形態の温熱健康器具では、足裏を載せる凸面部１が図１及び図２に示したように複数の樋状部材１１の凸面をもって構成され、この複数の凸面が全体として部分円弧状を構成するように湾曲して配列されているものであるため、各凸面の足裏に対する角度も各々異なったものとなり、足裏のつぼに対する刺激が強いものから弱いものまで種々様々変化し、足裏のつぼに対する刺激の変化に富んだものとなり、つぼ指圧効果の向上することができる。
【００４０】
また、本実施形態の温熱健康器具では、足裏を載せる凸面部１の上面、すなわち複数の樋状部材１１で構成される凸面部１の上面が図２に示したように、各樋状部材１１の裾部分が隣同士互いになだらかに連結されて一体化されるとともに、この凸面部１は、アルミニウムを引き抜き成形して一体的に形成されたものであるため、隙間や割れ目や穴などがまったくなく、滑らかに形成され、この凸面部１の上に足裏などの比較的汚れたり、ごみの付着した部分を載せることで、凸面部１の上面が汚れたり、ごみが付着しても、簡単に除去し、きれいにすることが容易であり、衛生的である。
【００４１】
更に、上述したように、足裏を載せ、この載せられた足裏のつぼに刺激を与える凸面は、凸面部１の内部に設けられたヒータ２３で温められ、これにより足裏のつぼに対する指圧効果に加えて温熱効果を足裏に与えることができるが、このヒータ２３による温熱は、足裏に対して熱すぎることもなく、また低すぎることもなく、最適な温度となるようにヒータ２３の構造およびサーモスタット５９の制御により達成されているが、仮に何らかの障害、例えばサーモスタット５９の不良、複数の樋状部材１１に沿って図４に示すように繰り返し折り曲げられているヒータ２３の途中同士の短絡などの障害により温度が異常に上昇した場合には、この異常温度上昇を温度ヒューズ５７が検知して溶断し、ヒータ２３への電圧の印加を停止し、温度上昇を阻止するため、足裏がやけどするようなことは防止されている。
【００４２】
また、本温熱健康器具を夏などに使用する場合には、電源を切って、足裏のつぼに対する指圧効果を得るだけでも使用可能であるが、この場合には、足裏を載せる凸面部１がアルミニウムを引き抜き成形して一体的に形成されているものであるため、アルミニウムの金属の冷たさが足裏に対してひんやりした冷却効果を与えることができ、足裏から熱を奪って、体温を下げる効果もある。
【００４３】
なお、上述した説明では、本温熱健康器具の凸面部１の上に足裏を載せて、足裏に対する指圧効果や温熱効果を得るように説明しているが、本温熱健康器具は、足裏のみでなく、足のふくらはぎ、首など、任意の部位に適用することができる。また、設置方法も図５のようにソファーに腰掛けた状態で足裏を載せるだけでなく、例えばトイレに設置してもよいし、食卓テーブルの真下に設置してもよいし、勉強机の下に設置して勉強しながら利用してもよいものである。
【符号の説明】
【００４４】
１  凸面部
３  台座部
５  電源コード
７  電源スィッチ
１１  樋状部材
１３  底板
１５  中央足部
１７  側足部
１９  壁部
２１  空所
２３  ヒータ
３１  受入れ部
３３  底板部
３５  中央足保持部
３７  側足保持部
４１  リベット用穴
５１ａ、ｂ  電源端子
５３  電流ヒューズ
５５  抵抗器
５７  温度ヒューズ
５９  サーモスタット
６１  ダイオード
９１  発光ダイオード
【図１】
0003155399.tif 000003
【図２】
0003155399.tif 000004
【図３】
0003155399.tif 000005
【図４】
0003155399.tif 000006
【図５】
0003155399.tif 000007